(57)【要約】【課題】表示装置に明度の異なるグレー画像群を表示したときに、表示されるグレー画像群の色相角のばらつきを小さくして色味を統一させて見せる色変換を行なう色変換装置等を提供する。【解決手段】グレー画像を表示装置１２に表示する場合に、グレー画像に対し、グレー画像を構成する複数の基本色からなる色信号の色信号比率が、グレー画像の明度によらず１：１：１以外であって且つ同一の値となるように色変換を行う色処理装置１３。【選択図】図１
2015122662.tif 000002
【特許請求の範囲】
【請求項１】
グレー画像を表示装置に表示する場合に、当該グレー画像に対し、当該グレー画像を構成する複数の基本色からなる色信号の色信号比率が、当該グレー画像の明度によらず１：１：１以外であって且つ同一の値となるように色変換を行うことを特徴とする色変換装置。
【請求項２】
表示装置に表示させる画像に色変換を行うときに用いる変換関係であって、当該変換関係を用いてグレー画像に色変換を行った場合に、色変換後グレー画像を構成する複数の基本色からなる色信号の色信号比率が、当該グレー画像の明度によらず１：１：１以外であって且つ同一の値となるような変換関係を作成することを特徴とする変換関係作成装置。
【請求項３】
表示装置で画像を表示するときに使用される複数の基本色の色信号比率であって１：１：１以外の色信号比率を設定する設定部と、
前記表示装置に表示させる画像に色変換を行うときに用いる変換関係を作成する作成部と、を有し、
前記作成部は、前記色信号比率が１：１：１である画像に前記色変換を行った場合に、当該色信号比率が前記設定部で設定した値に変換されるような変換関係を作成することを特徴とする変換関係作成装置。
【請求項４】
前記設定部は、前記表示装置に表示される画像の色味が赤色、緑色、および青色の何れかになるように前記色信号比率を設定することを特徴とする請求項３に記載の変換関係作成装置。
【請求項５】
前記表示装置に画像を表示するときの色再現の目標値を設定すると共に、当該設定した目標値に基づいて前記変換関係を作成し、当該目標値は、当該表示装置の表示特性に基づいて設定された第１の目標値と、グレー画像の彩度および色相が指定された第２の目標値と、を含むことを特徴とする請求項３又は４に記載の変換関係作成装置。
【請求項６】
コンピュータに、
グレー画像を表示装置に表示する場合に、当該グレー画像に対し、当該グレー画像を構成する複数の基本色からなる色信号の色信号比率が、当該グレー画像の明度によらず１：１：１以外であって且つ同一の値となるように色変換を行う機能を実現させるプログラム。
【請求項７】
コンピュータに、
表示装置で画像を表示するときに使用される複数の基本色の色信号比率であって１：１：１以外の色信号比率を設定する設定機能と、
前記表示装置に表示させる画像に色変換を行うときに用いる変換関係を作成する作成機能と、を実現させ、
前記作成機能は、前記色信号比率が１：１：１である画像に前記色変換を行った場合に、当該色信号比率が前記設定機能で設定した値に変換されるような変換関係を作成することを特徴とするプログラム。
【発明の詳細な説明】
【技術分野】
【０００１】
本発明は、色変換装置、変換関係作成装置、プログラムに関する。
【背景技術】
【０００２】
特許文献１には、先ず、少なくとも１つの入力が最大値であり、かつ目標とする白色色度（ｘｗ、ｙｗ）となるディスプレイへの入力データ（ｒ、ｇ、ｂ）を、映像入力（Ｒ、Ｇ、Ｂ）が全て最大値の場合の補正データとして格納し、次に、この最大入力時の輝度レベルを基準として各入力レベルｉにおける輝度レベルＹｉが設定したい輝度曲線上となるように調整し、この輝度レベルＹｉと白色色度（ｘｗ、ｙｗ）とから３刺激値（Ｘｉ、Ｙｉ、Ｚｉ）を求め、この３刺激値（Ｘｉ、Ｙｉ、Ｚｉ）に最も近い組合わせを得られるディスプレイへの入力データ（ｒ、ｇ、ｂ）を映像入力（Ｒｉ、Ｇｉ、Ｂｉ）に対する補正データ（ｒｉ、ｇｉ、ｂｉ）とし、これを最大入力レベルを除く全ての入力レベルｉについて求めてこれを赤色用ＬＵＴ、緑色用ＬＵＴ、青色用ＬＵＴの３つに格納するガンマ補正回路が開示されている。
【先行技術文献】
【特許文献】
【０００３】
【特許文献１】特開２００６−２５８８５０号公報
【発明の概要】
【発明が解決しようとする課題】
【０００４】
液晶ディスプレイなどの表示装置に表示させる画像の色変換を行う装置として、表示装置に画像を表示するときの色再現の目標値を設定すると共に、この設定した目標値に基づいて色変換を行う技術が知られている。従来では、この色再現の目標値は、表示装置ごとの表示特性に基づいて設定されるものであった。しかし、このような色変換を行ったとしても、入力画像と実際に表示される画像の色味には多少のずれ／ばらつきが生じるものであり、白色や黒色を除く中明度の無彩色画像であるグレー画像を複数表示したときには、このずれがさまざまな色相方向へのずれとなり、結果、複数のグレー画像間での色相角のばらつきが生じ、見る者にとって色味に統一性がなくなってしまう。
本発明は、表示装置に表示するグレー画像に対し、当該グレー画像の色信号比率が１：１：１となるように又は１：１：１以外であっても明度によって異なる値となるように色変換を行う場合に比べて、表示装置に明度の異なるグレー画像群を表示したときに、表示されるグレー画像群の色相角のばらつきを小さくして色味を統一させて見せることを目的とする。
【課題を解決するための手段】
【０００５】
請求項１に記載の発明は、グレー画像を表示装置に表示する場合に、当該グレー画像に対し、当該グレー画像を構成する複数の基本色からなる色信号の色信号比率が、当該グレー画像の明度によらず１：１：１以外であって且つ同一の値となるように色変換を行うことを特徴とする色変換装置である。
請求項２に記載の発明は、表示装置に表示させる画像に色変換を行うときに用いる変換関係であって、当該変換関係を用いてグレー画像に色変換を行った場合に、色変換後グレー画像を構成する複数の基本色からなる色信号の色信号比率が、当該グレー画像の明度によらず１：１：１以外であって且つ同一の値となるような変換関係を作成することを特徴とする変換関係作成装置である。
請求項３に記載の発明は、表示装置で画像を表示するときに使用される複数の基本色の色信号比率であって１：１：１以外の色信号比率を設定する設定部と、前記表示装置に表示させる画像に色変換を行うときに用いる変換関係を作成する作成部と、を有し、前記作成部は、前記色信号比率が１：１：１である画像に前記色変換を行った場合に、当該色信号比率が前記設定部で設定した値に変換されるような変換関係を作成することを特徴とする変換関係作成装置である。
請求項４に記載の発明は、前記設定部は、前記表示装置に表示される画像の色味が赤色、緑色、および青色の何れかになるように前記色信号比率を設定することを特徴とする請求項３に記載の変換関係作成装置である。
請求項５に記載の発明は、前記表示装置に画像を表示するときの色再現の目標値を設定すると共に、当該設定した目標値に基づいて前記変換関係を作成し、当該目標値は、当該表示装置の表示特性に基づいて設定された第１の目標値と、グレー画像の彩度および色相が指定された第２の目標値と、を含むことを特徴とする請求項３又は４に記載の変換関係作成装置である。
請求項６に記載の発明は、コンピュータに、グレー画像を表示装置に表示する場合に、当該グレー画像に対し、当該グレー画像を構成する複数の基本色からなる色信号の色信号比率が、当該グレー画像の明度によらず１：１：１以外であって且つ同一の値となるように色変換を行う機能を実現させるプログラムである。
請求項７に記載の発明は、コンピュータに、表示装置で画像を表示するときに使用される複数の基本色の色信号比率であって１：１：１以外の色信号比率を設定する設定機能と、前記表示装置に表示させる画像に色変換を行うときに用いる変換関係を作成する作成機能と、を実現させ、前記作成機能は、前記色信号比率が１：１：１である画像に前記色変換を行った場合に、当該色信号比率が前記設定機能で設定した値に変換されるような変換関係を作成することを特徴とするプログラムである。
【発明の効果】
【０００６】
請求項１〜３、６、７の発明によれば、表示装置に表示するグレー画像に対し、グレー画像の色信号比率が１：１：１となるように又は１：１：１以外であっても明度によって異なる値となるように色変換を行う場合に比較して、表示装置に明度の異なるグレー画像群を表示したときに、表示されるグレー画像群の色相角のばらつきを小さくして色味を統一させて見せることができる。
請求項４の発明によれば、請求項１記載の効果に加え、比率を設定するのが容易になる。
請求項５の発明によれば、表示装置に表示するときの色再現の目標値としてグレー画像の彩度および色相が指定された目標値を使用しない場合に比較して、表示されるグレー画像群の色相角のばらつきを小さくして色味をより統一させて見せることができる。
【図面の簡単な説明】
【０００７】
【図１】本実施の形態の画像表示システムの構成例を示す図である。
【図２】図１に示す画像表示システムに色設定システムを取り付けた状態を説明するための図である。
【図３】（ａ）〜（ｂ）は、入力画像データがグレー画像を表示するものであったときに、実際に表示装置に表示される画像の彩度および色相について説明した図である。
【図４】設定用ＰＣについてのハードウェア構成を示した図である。
【図５】第１の実施の形態の設定用ＰＣについての機能構成例を説明した図である。
【図６】表示装置に表示する画像データが画像を含むものであったときに、色相および彩度の目標（第２の目標値）を設定しなかった場合と、第２の目標値を設定した場合とで表示装置に実際に表示される色データについて説明した図である。
【図７】（ａ）〜（ｂ）は、第２の目標値について説明した図である。
【図８】設定用ＰＣの動作について説明したフローチャートである。
【図９】色値が変換される過程を概念的に示した図である。
【図１０】（ａ）〜（ｂ）は、表示装置に表示する画像データにグレー画像が含まれていた場合に、第１の目標値に加え第２の目標値を使用してマッピング部で変換した場合と、第２の目標値は使用せずに第１の目標値だけを使用して変換した場合とで比較を行なった図である。
【図１１】第２の形態の設定用ＰＣについての機能構成例を説明した図である。
【図１２】比率設定部で設定される色信号比率について説明した図である。
【図１３】設定用ＰＣの動作について説明したフローチャートである。
【図１４】色値が変換される過程を概念的に示した図である。
【図１５】（ａ）〜（ｂ）は、表示装置に表示する画像データがグレー画像を含むものであったときに、上述したように第１の目標値とともに色信号比率を設定してマッピング部で変換した場合と、設定せずに第１の目標値だけを使用した場合とで比較を行なった図である。
【図１６】（ａ）〜（ｂ）は、表示装置に表示する画像データがグレー画像を含むものであったときに、高明度領域にて第２の目標値とともに低明度領域にて色信号比率を用いて多次元ＬＵＴを作成した場合と、第２の目標値も色信号比率も使用せず多次元ＬＵＴを作成した場合とで比較を行なった図である。
【発明を実施するための形態】
【０００８】
＜画像表示システムの全体構成の説明＞
以下、添付図面を参照して、本発明の実施の形態について詳細に説明する。
例えば、デザイナーが種々の製品のデザインを行う際には、デザインを行う製品のモックアップを作製して、実際に製品となったときの確認を行うことがある。しかしモックアップは、一般に製作費用が高額となりやすく、また製作するのに多くの労力や時間を要する問題がある。
【０００９】
そのため近年は、パーソナルコンピュータ等を使用し、ＣＧ（Computer Graphics）により製品のデザインを行う場合が多くなってきている。この場合、デザイナーは、パーソナルコンピュータ等に接続された小サイズの液晶ディスプレイ等の表示装置に製品の画像を出力してデザインを行うことになる。しかし製品が大きなサイズのものであるときは、小サイズの液晶ディスプレイでは、製品全体のイメージを捉えることが困難であるため、例えば、大サイズの液晶ディスプレイやプロジェクタなどの表示装置を別途使用して出力を行うことがある。
【００１０】
このようにＣＧを使用して製品のデザインを行う際には、複数の表示装置を使用する場合が多い。しかしながら表示装置で出力する際に同様の画像データを使用しても、それぞれの表示装置のデバイス特性は異なる。そのためこれに起因して出力される画像は、同様の色表現とはならないのが通常である。またこのデバイス特性は、表示装置の製造者や型番が異なれば異なるものである。さらに同様の製造者の同様の型番のものでも製造時のばらつきや、経年変化によりやはりデバイス特性が異なることがある。表示装置のそれぞれの色表現が異なる場合、デザイナーは、製品の色について正確に把握することができず、デザインを行うのに支障が生じることになる。
【００１１】
そこで本実施の形態では、以下のような画像表示システム１０を用いて、複数の表示装置の色表現を合致させるようにする。
【００１２】
図１は、本実施の形態における画像表示システム１０の構成例を示す図である。
この画像表示システム１０は、ネットワークＮに接続され、表示のための画像情報（入力画像データ）の作成等を行う表示用ＰＣ（Personal Computer）１１と、表示画面１２１に画像を表示する表示装置１２と、表示用ＰＣ１１から入力されてくる入力画像データに色変換テーブル（変換関係）を用いて色変換処理を行い、得られた画像データ（表示用の出力画像データ）を表示装置１２に出力する色変換手段の一例としての色処理装置（色変換装置）１３とを備えている。なお、画像表示システム１０は、ネットワークＮを介して、別の画像表示システムや各種プリンタ等と接続されている。
【００１３】
この画像表示システム１０において、表示用ＰＣ１１および色処理装置１３はＤＶＩ（Digital Visual Interface）を介して接続されており、色処理装置１３および表示装置１２もＤＶＩを介して接続されている。なお、ＤＶＩに代えて、ＨＤＭＩ（High-Definition Multimedia Interface）やDisplayPortを介して接続するようにしてもかまわない。
【００１４】
表示用ＰＣ１１は、所謂汎用のパーソナルコンピュータである。そして、表示用ＰＣ１１は、ＯＳによる管理下において、各種アプリケーションソフトウェアを動作させることで、入力画像データの作成等が行われるようになっている。
【００１５】
また、表示装置１２は、例えばＰＣ用の液晶ディスプレイ、液晶テレビあるいはプロジェクタなど、加法混色にて画像を表示する機能を備えたもので構成される。したがって、表示装置１２における表示方式は、液晶方式に限定されるものではない。なお、図１に示す例では、表示装置１２内に表示画面１２１が設けられているが、表示装置１２として例えばプロジェクタを用いる場合、表示画面１２１は、表示装置１２の外部に設けられたスクリーン等となる。
【００１６】
色処理装置１３は、出力画像データ作成部１３１と、色変換テーブル記憶部１３２とを備えている。
【００１７】
出力画像データ作成部１３１は、表示用ＰＣ１１から入力されてくる入力画像データに対し、色変換テーブル記憶部１３２から読み出した色変換テーブルを用いて色変換を施し、得られた表示用の出力画像データを表示装置１２に出力する。なお本実施の形態では、出力画像データ作成部１３１は、入力画像データとして赤色（Ｒ）、緑色（Ｇ）および青色（Ｂ）の各色信号（Ｒｉｎ、Ｇｉｎ、Ｂｉｎ）を受け取り、色変換を施すことで出力画像データとして赤色（Ｒ）、緑色（Ｇ）および青色（Ｂ）の各色信号（Ｒｏｕｔ、Ｇｏｕｔ、Ｂｏｕｔ）を出力する。ここで、入力画像データおよび出力画像データは、赤色（Ｒ）、緑色（Ｇ）および青色（Ｂ）の各色信号をそれぞれ階調値で表したデータを指す。
【００１８】
色変換テーブル記憶部１３２は、上述した出力画像データ作成部１３１による表示用の出力画像データの作成において用いられる色変換テーブルを記憶する。ここで、色変換テーブルとしては、例えば変換用の行列（マトリックス）、１次元ＬＵＴ（Look Up Table）あるいは多次元ＬＵＴ等が挙げられるが、本実施の形態では、色変換をより精度良く行うために多次元ＬＵＴが用いられる。なお、色変換テーブル記憶部１３２は、読み書き可能であって電源を供給しなくても記憶内容を保持することが可能な不揮発性メモリ（例えばフラッシュメモリ）で構成される。
【００１９】
ここで、図１に示す画像表示システム１０は、１台の表示用ＰＣ１１に１台の色処理装置１３を介して１台の表示装置１２を接続する場合を例示しているが、これに限られるものではない。例えば、１台の色処理装置１３に複数台の表示装置１２を接続し、各表示装置１２に連続した異なる画像を表示する、所謂マルチモニタ構成とすることも可能である。
【００２０】
さて、本実施の形態の画像表示システム１０では、表示用ＰＣ１１ではなく色処理装置１３が、入力画像データに色変換処理を施すことで表示用の出力画像データを作成する。ここで、色処理装置１３における色変換処理で用いられる色変換テーブルは、例えば表示装置１２のデバイス特性（表示特性）と、ネットワークＮを介して接続される他の画像表示システムやプリンタ等のデバイス特性とを加味し、図１に示す画像表示システム１０および他の表示装置やプリンタ等での色表現を合致させるように、その作成が行われる。そして、画像表示システム１０では、画像表示システム１０に後述する色設定システムを外付けした状態で、表示装置１２のデバイス特性を加味した色変換テーブルの作成が実行される。
【００２１】
次に色処理装置１３で用いられる色変換テーブルの作成において、画像表示システム１０に取り付けられる色設定システムについて説明を行う。
図２は、図１に示す画像表示システム１０に色設定システム２０を取り付けた状態を説明するための図である。
【００２２】
本実施の形態の色設定システム２０は、画像表示システム１０の色処理装置１３に接続される設定用ＰＣ２１と、設定用ＰＣ２１に接続されるとともに画像表示システム１０の表示装置１２における表示画面１２１に表示された画像の色を測定する測色器２２とを備えている。
【００２３】
この色設定システム２０において、設定用ＰＣ２１および測色器２２は、ＵＳＢ（Universal Serial Bus）あるいはＲＳ−２３２Ｃを介して接続されている。また、色設定システム２０における設定用ＰＣ２１と画像表示システム１０における色処理装置１３とは、ＵＳＢを介して接続されている。
【００２４】
色設定システム２０において、設定用ＰＣ２１は、詳しくは後述するが所謂汎用のパーソナルコンピュータであり、例えば可搬性に優れたノート型ＰＣ等が用いられる。そして、設定用ＰＣ２１も、ＯＳによる管理下において、各種アプリケーションソフトウェアを動作させるようになっている。
【００２５】
また、測色器２２は、画像表示システム１０の表示装置１２に設けられた表示画面１２１に接触あるいは非接触に配置されることで、表示画面１２１に表示される画像の色を測定するセンサを備えている。この例において、測色器２２に設けられたセンサによる測定領域の大きさは、表示画面１２１の大きさ以下となるように設定されている。そして、測色器２２は、表示画面１２１の全領域について測色を行うのではなく、全領域のうち予め決められた一部領域について測色を行うように構成されている。
【００２６】
ここで、図２に示す色設定システム２０は、１台の設定用ＰＣ２１に１台の測色器２２を接続する場合を例示しているが、これに限られるものではない。例えば、１台の設定用ＰＣ２１に複数台の測色器２２を接続するように構成することも可能である。
【００２７】
本実施の形態では、色設定システム２０に設けられた設定用ＰＣ２１が、色変換テーブルを作成し、画像表示システム１０の色処理装置１３に設けられた色変換テーブル記憶部１３２に対し、色変換テーブルを書き込むことが可能となっている。本実施の形態において、この設定用ＰＣ２１は、色処理装置１３で用いられる色変換テーブルを作成する変換関係作成装置として捉えることができる。
【００２８】
そして、本実施の形態の画像表示システム１０は、通常は、色設定システム２０が取り付けられていない状態で、表示用ＰＣ１１が作成した入力画像データを、色処理装置１３にて色変換することで得られた表示用の出力画像データに基づく画像（表示用画像）を、表示装置１２の表示画面１２１に表示するようになっている。一方、この画像表示システム１０は、色変換テーブルの作成あるいは変更等を実行する際に、色設定システム２０が取り付けられた状態で、設定用ＰＣ２１が選択した測色用の出力画像データに基づく画像（測色用画像、色パッチ）を、表示装置１２の表示画面１２１に表示するようになっている。
【００２９】
しかしながら上記の表示装置１２により色変換を行ったときに、表示装置１２にグレー画像を表示させたときの色表現にばらつきが生じ、この画像を見る者に不自然さを与えるときがある。なお本実施の形態で、「グレー画像」と言った場合、無彩色画像のうち、黒色付近と白色付近を除いた領域（例えば明度が２０〜７０の範囲内のもの）を指す。グレー画像であるか否かは、入力画像データ等を基に、「無彩色」であるか否か、および「明度」から判断することができる。
【００３０】
つまりグレー画像の場合、入力画像データは、彩度および色相を有しない画像データとなるが、色変換後においては本来採るべき値からわずかなずれが生じ、出力画像データが彩度および色相を有する画像データとなることがある。そして出力画像データが彩度および色相を有する場合、本来グレーであるべき画像に色味が生じて見える。この色味は、通常は、わずかなものであるが、色味のずれに方向性がないため、色相は、ばらばらとなる。よって例えば、明度が異なるグレー画像を表示させたときに、種々の色味を帯びて表示されることになる。このような種々の色味が生じたグレー画像は、これを見る者には認識しやすく、不自然さを与えやすい画像である。
【００３１】
図３（ａ）〜（ｂ）は、入力画像データがグレー画像を表示するものであったときに、実際に表示装置１２に表示される画像の彩度および色相について説明した図である。
図３（ａ）において横軸は、表示される画像の色値をＬ＊、ａ＊、ｂ＊で表した場合のｃ＊＝√（ａ＊＾２＋ｂ＊＾２）を表し、縦軸は、明度Ｌ＊を表す。また図３（ｂ）において横軸は、色相角ｈを表し、縦軸は、明度Ｌ＊を表す。つまり図３（ａ）により、明度の変化に伴う彩度の変化を見ることができ、図３（ｂ）により、明度の変化に伴う色相の変化を見ることができる。
【００３２】
図３（ａ）では、表示装置１２として「Ａ」で示すものと「Ｃ」で示すものを使用したときの明度と彩度の関係を示している。
ここで表示装置１２が「Ａ」の場合、明度Ｌ＊が変化しても彩度ｃ＊はあまり変化せず、さらに表示される画像の彩度ｃ＊が小さいままでほぼ一定である場合を示している。この場合、表示される画像は、全ての明度領域で、わずかに色味を生じる画像として見える。
一方、表示装置１２が「Ｃ」の場合、明度が変化すると、高明度領域に比較して低明度領域で彩度が大きく変化する場合を示している。この場合、表示装置１２で表示される画像は、高明度領域では、わずかに色味が生じて見える程度であるが、低明度領域では、より大きく色味が生じて見えることを意味する。
【００３３】
また図３（ｂ）では、表示装置１２として「Ａ」で示すものと「Ｄ」で示すものを使用したときの明度と色相角の関係を示している。
ここで表示装置１２が「Ａ」の場合、明度Ｌ＊が変化しても色相角ｈが２７０°付近であまりばらつかず、ほぼ一定となる場合を示している。この場合、表示装置１２で表示される画像は、全ての明度領域で、色相角ｈが２７０°付近であるため、わずかに青色の色味が生じた画像として見える。
一方、表示装置１２が「Ｄ」の場合、明度が変化すると、低明度領域に比較して高明度領域で色相角ｈが大きく変化する場合を示している。この場合、表示装置１２で表示される画像は、低明度領域では、色相角ｈが２７０°付近であるためわずかに青色の色味が生じた画像として見えるが、高明度領域では、青色以外の例えば、赤色や緑色の色味が生じた画像として見える場合があることを意味する。
【００３４】
ここで図３（ａ）〜（ｂ）の点線部に示したように、出力画像データにより表示装置１２にてグレー画像を表示させたときは、低明度領域では、彩度ｃ＊が大きく変化しやすく、高明度領域では、色相角ｈが大きく変化しやすい傾向がある。
【００３５】
グレー画像は、ＣＧにおいて物の形を表すのに影として多く用いられ、また製品自体の色としても使用される頻度は高い。そのためグレー画像に種々の色味が生じることを抑制し、色表現のばらつきを小さくすることは、非常に重要である。
そこで本実施の形態では、設定用ＰＣ２１を以下の構成にし、この問題の抑制を図っている。
【００３６】
＜設定用ＰＣのハードウェア構成例＞
次に、設定用ＰＣ２１のハードウェア構成について説明する。
図４は、設定用ＰＣ２１のハードウェア構成を示した図である。
設定用ＰＣ２１は、上述したようにパーソナルコンピュータ等により実現される。そして図示するように、設定用ＰＣ２１は、演算手段であるＣＰＵ（Central Processing Unit）４１と、記憶手段であるメインメモリ４２、およびＨＤＤ（Hard Disk Drive）４３とを備える。ここで、ＣＰＵ４１は、ＯＳ（Operating System）やアプリケーションソフトウェア等の各種プログラムを実行する。また、メインメモリ４２は、各種プログラムやその実行に用いるデータ等を記憶する記憶領域であり、ＨＤＤ４３は、各種プログラムに対する入力データや各種プログラムからの出力データ等を記憶する記憶領域である。
【００３７】
さらに、設定用ＰＣ２１は、外部との通信を行うための通信インターフェース（以下、「通信Ｉ／Ｆ」と表記する）４４と、ビデオメモリやディスプレイ等からなり、画像を表示するモニタ４５と、キーボードやマウス等の入力デバイス４６とを備える。
【００３８】
＜設定用ＰＣの機能構成例＞
［第１の実施の形態］
設定用ＰＣ２１の機能構成としてまず、第１の実施の形態について説明する。
図５は、第１の実施の形態の設定用ＰＣ２１についての機能構成例を説明した図である。
【００３９】
図５に示した設定用ＰＣ２１は、画像選択部２１１と、画像データ記憶部２１２と、画像データ送信部２１３と、色データ取得部２１４と、第１の色変換部２１５と、色域作成部２１６と、第２の色変換部２１７と、目標値設定部２１８と、マッピング部２２０と、色変換テーブル作成部２２１とを備える。
【００４０】
画像選択部２１１は、表示装置１２の色調整を行うために使用する画像を選択する。この色調整を行うために使用される画像は、上述した測色用画像である。
画像データ記憶部２１２は、画像選択部２１１で選択される測色用画像の画像データ（画像情報）を記憶する。画像選択部２１１は、画像データ記憶部２１２から選択した測色用画像の画像データを取得する。
【００４１】
画像データ送信部２１３は、表示装置１２の色調整を行うために、画像選択部２１１が選択した測色用画像の画像データを表示装置１２に向けて出力する。この画像データは、ＲＧＢ色空間におけるＲ、Ｇ、Ｂの色信号であるＲ０、Ｇ０、Ｂ０として出力される。
【００４２】
表示装置１２では、画像データ送信部２１３により送信された測色用画像の画像データを基に測色用画像が順に表示される。表示装置１２に表示された測色用画像は、測色器２２により色が読み取られる。そして測色器２２は、それぞれの測色用画像を読み取ることで取得した色情報（色データ）を設定用ＰＣ２１に対し送信する。このとき測色器２２が出力する色データは、例えば、ＸＹＺ色空間におけるＸ、Ｙ、Ｚの各色値である。
【００４３】
色データ取得部２１４は、色情報取得部の一例であり、測色器２２により送信された測色用画像の色データを、それぞれの測色用画像について取得する。
【００４４】
第１の色変換部２１５は、色データ取得部２１４が取得した測色用画像の色データを、デバイス非依存の色空間の色値に変換する。本実施の形態では、測色用画像の色データとして使用されるＸＹＺ色空間におけるＸ、Ｙ、Ｚの各色値を、Ｌａｂ色空間におけるＬ＊、ａ＊、ｂ＊の各色値に変換する。この変換は、既知の変換式により行なうことができる。そしてこれにより測色用画像の色データとＬ＊、ａ＊、ｂ＊とを関連付けた対応関係（第１の対応関係）が得られる。ここでは、変換後のＬ＊、ａ＊、ｂ＊の各色値をＬ１＊、ａ１＊、ｂ１＊とする。
【００４５】
色域作成部２１６は、第１の色変換部２１５により変換されたＬ１＊、ａ１＊、ｂ１＊の各色値に基づき、表示装置１２で表示可能な色の領域である色域を作成する。本実施の形態では、この色域は、Ｌａｂ色空間内の領域として規定される。
【００４６】
第２の色変換部２１７は、画像選択部２１１が選択した測色用画像の画像データを、デバイス非依存の色空間の色値に変換する。この変換は、既知の変換式により行なうことができる。本実施の形態では、測色用画像の画像データとして使用されるＲＧＢ色空間におけるＲ、Ｇ、Ｂの各色値を、Ｌａｂ色空間におけるＬ＊、ａ＊、ｂ＊の各色値に変換する。これにより測色用画像の画像データとＬ＊、ａ＊、ｂ＊とを関連付けた対応関係（第２の対応関係）が得られる。ここでは、変換後のＬ＊、ａ＊、ｂ＊の各色値をＬ２＊、ａ２＊、ｂ２＊とする。
【００４７】
目標値設定部２１８は、色データＬ１＊、ａ１＊、ｂ１＊の各色値に基づき、表示装置１２に画像を表示するときの色再現の目標値Ｌ１＊’、ａ１＊’、ｂ１＊’を設定する。
ここで目標値は、Ｌａｂ色空間におけるＬ＊、ａ＊、ｂ＊の各色値により求められ、第１の目標値と第２の目標値との２種類が設定される。第１の目標値は、表示装置１２のデバイス特性に基づいて設定されるもので、その目標値の設定については、種々の方法が知られている。本実施の形態において第１の目標値は、色データ取得部２１４が取得した測色用画像の色データに基づき色域作成部２１６で作成された色域を基にして設定される。また第２の目標値は、第１の目標値とは別に、グレー画像に対して色相および彩度の目標を指定することにより設定されるもので、表示装置１２に表示させる画像がグレー画像を含むものであった場合に、表示装置１２に表示されるグレー画像の色味が統一されたものとなるように設定される。
【００４８】
図６は、表示装置１２に表示する画像データが画像を含むものであったときに、色相および彩度の目標（第２の目標値）を設定しなかった場合と、第２の目標値を設定した場合とで表示装置１２に実際に表示される色データについて説明した図である。ここでは、横軸をｂ＊、縦軸をａ＊とし、ａ＊ｂ＊座標平面上での表示装置１２に実際に表示されるグレー画像の色データの分布を示している。
このうち「Ｂ＿ｂｅｆｏｒｅ」の各点は、第２の目標値を設定しなかった場合である。即ち、この場合、表示装置１２のデバイス特性だけに基づいて目標値を設定した場合である。これは表示装置１２に表示する画像データがグレー画像だったときについても、第２の目標値を使用せず第１の目標値だけを使用して色データの変換を行なった場合に表示装置１２に実際に表示される色データである、と言い換えることもできる。なおこれは従来の方法により表示装置１２に実際に表示される色データであると言うこともできる。
【００４９】
図６においてａ＊＝ｂ＊＝０である原点が、色相および彩度が生じない箇所である。しかし「Ｂ＿ｂｅｆｏｒｅ」の各点で図示する色データは、原点を中心とした比較的狭い範囲内（概ね点線で示す範囲内）に分布する。つまりこの色データは、色相および彩度を有し、さらに画像として表示させたときに種々の色味を有するものとなる。
つまり図６では、第１象限の領域に色データが存在するときには、赤色の色味が生じた画像となる。同様に第２象限の領域に色データが存在するときには、緑色の色味が生じた画像となり、さらに第３象限または第４象限の領域に色データが存在するときには、青色の色味が生じた画像となる。
【００５０】
そこで本実施の形態では、表示装置１２に表示する画像データがグレー画像を含むものであったときに、表示装置１２に表示されたグレー画像群の彩度の平均が０より大きく、且つ、グレー画像群どうしの色相角のばらつきが１８０度以内に収まるよう第２の目標値を設定する。ここで「グレー画像群」とは、表示装置１２に表示された複数のグレー画像の集合を指し、グレー画像群の彩度の平均とは、表示装置１２に表示された複数のグレー画像各々の彩度の値（彩度値ｃ＊＝√（ａ＊＾２＋ｂ＊＾２））からその複数の彩度値の平均を算出することにより求められる。またグレー画像群どうしの色相角のばらつきとは、表示装置１２に表示された複数のグレー画像各々の色相を示す値（色相角）からその複数の色相角が分布する角度の範囲として求められる。
また、第２の目標値は、さらに第１象限（色相角が、０度〜９０度の第１の領域）、第２象限（色相角が、９０度〜１８０度の第２の領域）、および第３象限と第４象限（色相角が、１８０度〜３６０度の第３の領域）の３つの領域の何れかに色データが収まるように色データを移動するように設定することがより好ましい。即ち、目標値設定部２１８は、表示装置１２に表示する画像データがグレー画像を含むものであったときに、表示装置１２に表示される画像の色味が赤色、緑色、および青色の何れかになるように第２の目標値を設定すると言い換えることもできる。
【００５１】
図６の例では、この第２の目標値を第３象限と第４象限の領域内（この場合、概ね一点鎖線で示す範囲内）となるようにし、第２の目標値により変換後の色データを、「Ｂ＿ａｆｔｅｒ」の各点で図示している。「Ｂ＿ａｆｔｅｒ」の各点で示す色データは、色相および彩度を有しているが、色味については、種々の色味は生じず、単色である青色の色味が生じた画像となる。つまりこの場合、表示装置１２にグレー画像を含む画像データを表示したときに、表示される画像の色味が統一されたものとなる。
このとき色相をこのように一定の範囲に収めるともに、色相(角)のばらつく範囲を小さくするようにすることが望ましい。
【００５２】
この第２の目標値は、例えば、以下のようにして設定することができる。
【００５３】
図７（ａ）〜（ｂ）は、第２の目標値について説明した図である。
このうち図７（ａ）は、第２の目標値として設定される彩度について図示している。図７（ａ）では、横軸を彩度ｃ＊とし、縦軸を明度Ｌ＊としている。ここでは、彩度は、ｃ＊＝√（ａ＊＾２＋ｂ＊＾２）で定義している。また図示するように彩度を明度Ｌ＊により変化させている。この場合、明度Ｌ＊が最大の１００の場合、即ち表示する画像が白色の場合を基準とし、ここでの彩度ｃ＊をまず０とする。そして明度Ｌ＊が１００より小さくなるに従い、彩度ｃ＊を大きくしていく。そして明度Ｌ＊が５０以下では、彩度ｃ＊を２で固定する。
【００５４】
また図７（ｂ）は、第２の目標値として設定される色相角について図示している。図７（ｂ）では、横軸を色相角ｈとし、縦軸を明度Ｌ＊としている。色相角ｈは、この場合、明度Ｌ＊により変化させず、色相角ｈが２７０°の方向が目標となるようにしている。つまりこれを図６に適用させた場合、「Ｂ＿ｂｅｆｏｒｅ」の各点は、概ね右下方向に移動し、移動後の色データは、「Ｂ＿ａｆｔｅｒ」の各点に示す青色の色味が生じる領域に分布するようになる。
図７の例では、第２の目標値は、彩度および色相角の値として指定され、明度の異なるグレー画像群の色データに対して、彩度ｃ＊が０より大きい値に指定されると共に、色相角ｈが同一の値に指定される。また彩度ｃ＊の値は、明度の最大値となる第１の明度値（この場合明度Ｌ＊＝１００）からこの第１の明度値よりも明度の小さい第２の明度値（この場合明度Ｌ＊＝５０）に向かって、大きくなるように指定される。
【００５５】
上述した第２の目標値としての彩度ｃ＊と色相角ｈは、予め定められた固定値として設定しておいてもよいが、測色用画像の色データの分布により変更することが好ましい。
【００５６】
具体的には、以下の（１）〜（４）の方法を例示することができる。
（１）ユーザが、表示装置１２に表示されたグレー画像群の色データの分布を目視で判断し、彩度ｃ＊と色相角ｈを入力することで設定する。
（２）図６で示したａ＊ｂ＊の座標平面上において、色データの存在する分布（例えば、図６で「Ｂ＿ｂｅｆｏｒｅ」の各点で示した分布）により彩度ｃ＊と色相角ｈを求める。つまり色データが分布する箇所と範囲から、彩度ｃ＊と色相角ｈを設定する。
（３）ａ＊、ｂ＊の座標平面における原点ａ＊＝ｂ＊＝０（Ｌ＊は、ユーザが複数の値を設定する）の色データを第２の対応関係を使用して、Ｒ、Ｇ、Ｂの色値に変換する。さらにこのＲ、Ｇ、Ｂの色値を再び第２の対応関係を使用して、Ｌ＊、ａ＊、ｂ＊の色値に戻す。このとき算出値は、最初の色値（ａ＊＝ｂ＊＝０）と比較してずれが生じ、原点（ａ＊＝ｂ＊＝０）を中心とした比較的狭い範囲内に分布する。この分布は、実際に測色用画像を測定して得られた色データＬ１＊、ａ１＊、ｂ１＊と同様の傾向を有する分布を示すため、この算出値を基にして彩度ｃ＊と色相角ｈを設定することができる。
（４）表示装置１２の色温度により、色データを移動する領域を変更する。例えば、表示装置１２の色温度が、比較的高い場合は、色味が青色となる第３象限または第４象限の領域に第２の目標値を設定し、そのための彩度ｃ＊と色相角ｈを設定する。また表示装置１２の色温度が、比較的低い場合は、色味が赤色となる第１象限の領域に第２の目標値を設定し、そのための彩度ｃ＊と色相角ｈを設定する。ただし一般的には、青色の色味を生じるようにした方が、グレー画像を見る者には、不自然さをより感じにくい傾向にある。
【００５７】
図５に戻り、マッピング部２２０は、第１の目標値および第２の目標値により設定されるＬａｂ色空間上での目標値を基に、入力画像データのもつ色域を、表示装置１２で表示可能な領域として色域作成部２１６で作成された色域に変換する。このような入力デバイス空間から出力デバイス空間への色域の変換（圧縮）についても、第１の目標値の設定と同様、種々の方法が知られている。つまり、マッピング部２２０では、測色用画像の色データＬ１＊、ａ１＊、ｂ１＊を、第１の目標値および第２の目標値により設定されるＬａｂ色空間上での目標値Ｌ１＊’、ａ１＊’、ｂ１＊’に変換する処理がなされる。
【００５８】
色変換テーブル作成部２２１は、マッピング部２２０で変換後の色データＬ１＊’、ａ１＊’、ｂ１＊’と、第２の色変換部２１７により変換されたＬ２＊、ａ２＊、ｂ２＊とを比較し、第２の対応関係を用いてマッピング部２２０で変換後の色データＬ１＊’、ａ１＊’、ｂ１＊’をＲＧＢ色空間におけるＲ、Ｇ、Ｂの各色値に変換する。ここでは変換後のＲ、Ｇ、Ｂの各色値をＲ’、Ｇ’、Ｂ’と表す。
【００５９】
そして色変換テーブル作成部２２１は、表示装置１２にて表示する画像の色を変換する色変換テーブルを作成する。本実施の形態では、この色変換テーブルは、前述の通り多次元ＬＵＴとなる。ここでは色変換テーブル作成部２２１は、表示装置１２に表示させる画像に色変換を行うときに用いる変換関係を作成する作成部として機能する。
【００６０】
この多次元ＬＵＴは、上記Ｒ０、Ｇ０、Ｂ０の色信号をＲ’、Ｇ’、Ｂ’の色信号に変換するものとなる。ただし、Ｒ０、Ｇ０、Ｂ０の各色値は、測色用画像の画像データを直接用いるものではなく、多次元ＬＵＴの格子点が用いられる。
【００６１】
そしてこの多次元ＬＵＴは、目標値設定部２１８により設定された第１の目標値を反映したものとなるため、この多次元ＬＵＴにより入力画像データ（Ｒｉｎ、Ｇｉｎ、Ｂｉｎ）を出力画像データ（Ｒｏｕｔ、Ｇｏｕｔ、Ｂｏｕｔ）に色変換したときに色域作成部２１６により作成された色域の範囲内になるように作成される。さらにこの多次元ＬＵＴは、目標値設定部２１８により設定された第２の目標値を反映させ作成されたものとなるので、この多次元ＬＵＴを用いて入力画像データ（Ｒｉｎ、Ｇｉｎ、Ｂｉｎ）を出力画像データ（Ｒｏｕｔ、Ｇｏｕｔ、Ｂｏｕｔ）に色変換したときには、表示装置１２に実際に表示されるグレー画像は、色相が揃い、色味が統一されたものとなる。
【００６２】
次に本実施の形態における設定用ＰＣ２１の動作について説明を行う。
図８は、設定用ＰＣ２１の動作について説明したフローチャートである。また図９は、色値が変換される過程を概念的に示した図である。
以下、図５、図８〜図９を用いて、設定用ＰＣ２１の動作について説明する。
【００６３】
まず画像選択部２１１が、表示装置１２の色調整を行うために使用する測色用画像を選択し、この測色用画像の画像データを画像データ記憶部２１２から取得する（ステップ１０１）。
【００６４】
次に画像データ送信部２１３は、画像選択部２１１で選択された測色用画像の画像データを表示装置１２に順次送信する（ステップ１０２）。この画像データは、Ｒ０、Ｇ０、Ｂ０の色信号である。表示装置１２では、この測色用画像が順次表示される。
【００６５】
表示された測色用画像は、測色器２２により色が読み取られ、測色器２２は、測色結果としての色データを設定用ＰＣ２１に対し送信する。この色データは、Ｘ、Ｙ、Ｚの各色値となる。
【００６６】
この色データは、色データ取得部２１４により取得される（ステップ１０３）。
次に第１の色変換部２１５が、測色用画像の色データであるＸ、Ｙ、Ｚの各色値を、Ｌ１＊、ａ１＊、ｂ１＊の各色値に変換する（ステップ１０４）。これにより第１の対応関係が得られる。
そして色域作成部２１６が、表示装置１２で表示可能な色の領域である色域を作成する（ステップ１０５）。
【００６７】
一方、第２の色変換部２１７は、測色用画像の画像データをであるＲ０、Ｇ０、Ｂ０の各色値を、Ｌ２＊、ａ２＊、ｂ２＊の各色値に変換する（ステップ１０６）。これにより第２の対応関係が得られる。
【００６８】
次に目標値設定部２１８は、目標値として第１の目標値、および第２の目標値である彩度ｃ＊と色相角ｈを設定する。（ステップ１０７）。これにより、表示装置１２に画像を表示するときのＬａｂ色空間における色再現の目標値Ｌ１＊’、ａ１＊’、ｂ１＊’が求められる。
【００６９】
次にマッピング部２２０は、測色用画像の色データとしてのＬ１＊、ａ１＊、ｂ１＊の各色値を目標値に基づいた色データであるＬ１＊’、ａ１＊’、ｂ１＊’に変換する（ステップ１０８）。これにより、入力画像データのもつ色域を、表示装置１２で表示可能な領域である色域に変換する処理がなされる。
【００７０】
そして色変換テーブル作成部２２１は、Ｌ１＊’、ａ１＊’、ｂ１＊’と、Ｌ２＊、ａ２＊、ｂ２＊とを比較し、さらに第２の対応関係を用いてＬ１＊’、ａ１＊’、ｂ１＊’をＲ’、Ｇ’、Ｂ’の各色値に変換する（ステップ１０９）。
【００７１】
さらに色変換テーブル作成部２２１は、表示装置１２にて表示する画像の色を変換する色変換テーブルとして多次元ＬＵＴを作成する（ステップ１１０）。
【００７２】
作成された多次元ＬＵＴのデータは、色処理装置１３の色変換テーブル記憶部１３２（図１参照）に格納される多次元ＬＵＴとしての多次元ＬＵＴの各格子点データとして格納される。この多次元ＬＵＴにより、入力画像データとしてのＲｉｎ、Ｇｉｎ、Ｂｉｎを出力画像データとしてのＲｏｕｔ、Ｇｏｕｔ、Ｂｏｕｔに変換することができる。
【００７３】
図１０（ａ）〜（ｂ）は、表示装置１２に表示する画像データにグレー画像が含まれていた場合に、上述したように第１の目標値に加え第２の目標値を使用してマッピング部２２０で変換した場合と、第２の目標値は使用せずに第１の目標値だけを使用して変換した場合とで比較を行なった図である。
図１０（ａ）は、明度と彩度との関係を示している。ここで横軸は、彩度ｃ＊を表し、縦軸は、明度Ｌ＊を表す。また図１０（ｂ）は、明度Ｌ＊と色相角との関係を示している。ここで横軸は、色相角ｈを表し、縦軸は、明度Ｌ＊を表す。
【００７４】
図示するように２の目標値を設定した場合の方が、設定しなかった場合よりも、明度Ｌ＊の異なるグレー画像群どうしの色相角ｈのばらつきが一定の範囲に収まるようになる。
【００７５】
［第２の実施の形態］
設定用ＰＣ２１の機能構成として、次に第２の実施の形態について説明する。
図１１は、第２の形態の設定用ＰＣ２１についての機能構成例を説明した図である。
【００７６】
図１１に示した設定用ＰＣ２１は、画像選択部２１１と、画像データ記憶部２１２と、画像データ送信部２１３と、色データ取得部２１４と、第１の色変換部２１５と、色域作成部２１６と、第２の色変換部２１７と、目標値設定部２１８と、比率設定部２１９と、マッピング部２２０と、色変換テーブル作成部２２１とを備える。
【００７７】
図１１に示した設定用ＰＣ２１は、図５に示した設定用ＰＣ２１に比較して、比率設定部２１９をさらに加えた点が異なる。また他の機能部に関しては、目標値設定部２１８、色変換テーブル作成部２２１を除き、図５に示した設定用ＰＣ２１と同様の機能を有する。
よって第２の実施の形態として、以下、目標値設定部２１８、比率設定部２１９、および色変換テーブル作成部２２１についての説明を行う。
【００７８】
目標値設定部２１８は、第１の実施の形態と同様に色データＬ１＊、ａ１＊、ｂ１＊の各色値に基づき、表示装置１２に画像を表示するときの色再現の目標値Ｌ１＊’、ａ１＊’、ｂ１＊’を設定する。ただし本実施の形態では、目標値として第１の目標値の１種類が設定される。つまり目標値として、表示装置１２のデバイス特性に基づいて設定される第１の目標値は設定されるが、グレー画像に対して色相および彩度の目標を指定することにより設定される第２の目標値は設定されない。
【００７９】
比率設定部２１９は、色データ取得部２１４により取得されたグレー画像の色データから求められる色相および彩度を基に、表示装置１２に表示されるグレー画像の色味が統一されたものとなるように、表示装置１２で画像を表示するときに使用される複数の基本色のうち１つを基準としたときの他の基本色の画像データの値の色信号比率を決定する。この場合、基本色は赤色（Ｒ）、緑色（Ｇ）、Ｂ（青色）のそれぞれの単色である。
【００８０】
本実施の形態では、図６のように第１象限、第２象限および第３象限と第４象限の３つの領域の何れかに色データが収まるようにするために、基本色である赤色（Ｒ）、緑色（Ｇ）、Ｂ（青色）の各色信号の値を増減させるのに用いる色信号比率を設定する。
【００８１】
図１２は、比率設定部２１９で設定される色信号比率について説明した図である。ここで横軸は、Ｒ、Ｇ、Ｂの色信号の階調値である。また縦軸は、設定される色信号比率を表す。
図１２では、複数の基本色のうち１つの基本色であるＧの色信号を基準とする。そしてこのＧの色信号を１としたときに他の基本色であるＲ、Ｂの色信号がとるべき値を比率として示している。この例では、Ｒの色信号のＧの色信号に対する比率を階調値によらず０．９８とし、Ｂの色信号のＧの色信号に対する比率を階調値によらず０．９５としている。このように、Ｒ、Ｇ、Ｂの各基本色からなる各色信号のうち、１つの基本色（これを基準色と呼ぶ）の色信号を１としたときの、他の２つの基本色の色信号がとるべき値（この例では０．９８、０．９５）を、基準色の色信号に対する他の基本色の色信号の比率（以下、単に「比率」）と呼ぶ。また同様に、基準色の色信号の１という値についても、便宜上「比率」と呼ぶ。さらに、Ｒ、Ｇ、Ｂの各基本色を、それぞれ「比率」で表した値のセットを、「色信号比率」と呼ぶことにする。この例では、「色信号比率」は１．００：０．９８：０．９５で表すことが出来る。
よって比率設定部２１９は、表示装置１２で画像を表示するときに使用される複数の基本色の色信号比率であって１：１：１以外の色信号比率を設定する設定部として機能する。このとき色信号比率は、グレー画像の明度によらず１：１：１以外であって且つ同一の値となる。
【００８２】
このようにＲ、Ｇ、Ｂの色信号の値を色信号比率に基づき増減させることにより、表示装置１２で表示される画像の色味が変化する。よって図６のように第１象限、第２象限および第３象限と第４象限の３つの領域の何れかに色データが収まるようにすることができる。
なお基準となる基本色は、Ｒ、Ｇ、Ｂの何れでもよいが、Ｇであることが好ましい。Ｇは、表示装置１２の輝度に対する影響が大きく、Ｇの比率を例えば、１未満とすると、表示装置１２の輝度がより大きく低下しやすくなる。
【００８３】
また色変換テーブル作成部２２１は、目標値設定部２１８により設定された目標値に加え比率設定部２１９により設定された色信号比率に基づき、色変換テーブルとして多次元ＬＵＴを作成する。なお、こうして作成された多次元ＬＵＴを用いて入力画像データＲ、Ｇ、ＢをＲ’、Ｇ’、Ｂ’からなる画像データに色変換したときの画像データのＲ’、Ｇ’、Ｂ’の比は、この比率設定部２１９により設定された色信号比率となる。
このことは、色変換テーブル作成部２２１により、色変換テーブルは、グレー画像に色変換を行った場合に、色信号比率が比率設定部２１９で設定した値に変換されるように作成される、と言い換えることもできる。
【００８４】
このように本実施の形態の多次元ＬＵＴは、第１の目標値および比率（色信号比率）に基づき作成されたものとなる。そしてこの多次元ＬＵＴを用いて入力画像データを出力画像データに色変換したときには、表示装置１２に実際に表示されるグレー画像は、色相が揃い、色味が統一されたものとなる。
【００８５】
次に本実施の形態における設定用ＰＣ２１の動作について説明を行う。
図１３は、設定用ＰＣ２１の動作について説明したフローチャートである。また図１４は、色値が変換される過程を概念的に示した図である。
以下、図１１、図１３〜図１４を用いて、設定用ＰＣ２１の動作について説明する。
【００８６】
ステップ２０１〜ステップ２０７の処理は、ステップ１０１〜ステップ１０７とそれぞれ同様であるので、説明を省略する。
【００８７】
ステップ２０７の後は、比率設定部２１９が、測色用画像の色データであるＬ１＊、ａ１＊、ｂ１＊を基に、表示装置１２に表示される画像の色味が統一されたものとなるように上記色信号比率を設定する（ステップ２０８）。
【００８８】
次のステップ２０９〜ステップ２１０は、ステップ１０８〜ステップ１０９と同様である。
そして色変換テーブル作成部２２１は、表示装置１２にて表示する画像の色を変換する色変換テーブルとして多次元ＬＵＴを作成する（ステップ２１１）。このとき色変換テーブル作成部２２１は、色信号比率を使用し、表示装置１２にて表示する画像の色を変換する多次元ＬＵＴを作成する。
【００８９】
作成された多次元ＬＵＴのデータは、色処理装置１３の色変換テーブル記憶部１３２（図１参照）に格納される多次元ＬＵＴとしての多次元ＬＵＴの各格子点データとして格納される。
【００９０】
図１５（ａ）〜（ｂ）は、表示装置１２に表示する画像データがグレー画像を含むものであったときに、上述したように第１の目標値とともに色信号比率を設定してマッピング部２２０で変換した場合と、設定せずに第１の目標値だけを使用した場合とで比較を行なった図である。
図１５（ａ）は、明度と彩度との関係を示している。ここで横軸は、彩度ｃ＊を表し、縦軸は、明度Ｌ＊を表す。また図１５（ｂ）は、明度と色相角との関係を示している。ここで横軸は、色相角ｈを表し、縦軸は、明度Ｌ＊を表す。
【００９１】
図示するように比率を設定した場合の方が、設定しなかった場合より明度の変化にしたがって生ずる彩度や色相角の変化がなだらかとなり、彩度や色相の連続性が向上する。
【００９２】
［第３の実施の形態］
次に設定用ＰＣの機能構成として、第３の実施の形態について説明する。
【００９３】
本実施の形態の設定用ＰＣ２１は、図１１に示した設定用ＰＣ２１と同様の構成を有する。図示した機能部に関しては、目標値設定部２１８を除き、第２の実施の形態の図１１に示した設定用ＰＣ２１と同様の機能を有する。
よって第３の実施の形態として、以下、目標値設定部２１８についての説明を行う。
【００９４】
目標値設定部２１８は、色データＬ１＊、ａ１＊、ｂ１＊の各色値に基づき、表示装置１２に画像を表示するときの色再現の目標値Ｌ１＊’、ａ１＊’、ｂ１＊’を設定する。ただし本実施の形態では、第１の実施の形態と同様に第１の目標値と第２の目標値との２種類が設定される。
【００９５】
これにより色変換テーブル作成部２２１で作成される多次元ＬＵＴは、目標値（第１の目標値、第２の目標値）および比率（色信号比率）に基づき作成されたものとなる。即ち、作成される多次元ＬＵＴは、第２の実施の形態に対し、第２の目標値が反映されたものとなる。そしてこの多次元ＬＵＴを用いて入力画像データを出力画像データに色変換したときには、表示装置１２に実際に表示されるグレー画像は、色相が揃い、色味が統一されたものとなる。
なお、本実施の形態のように、第２の目標値に基づく色変換テーブルの作成および比率設定部２１９により設定された色信号比率に基づく色変換テーブルの作成を組み合わせて行う場合には、同一の（入力画像データの）色値に対してこれら第２の目標値および色信号比率の両方に基づく色変換がなされないことが望ましい。すなわち、同一の色値に対しては、第２の目標値又は色信号比率のいずれか一方に基づく色変換がなされるようにすることが望ましい。そのため本実施の形態においては、低明度領域では色信号比率に基づき色変換テーブルを作成する一方、高明度領域では第２の目標値に基づき色変換テーブルを作成することで、同一の色値に対して重複した色変換がなされないよう、これらの使い分けを行なっている。
【００９６】
図３で説明したように、表示装置１２にてグレー画像を表示させたときは、低明度領域では、彩度ｃ＊が大きく変化しやすく、高明度領域では、色相角ｈが大きく変化しやすい傾向がある。この場合、色変換テーブル作成部２２１は、色データに含まれる明度の値が予め定められた高明度領域に含まれる場合に、第２の目標値を反映させ多次元ＬＵＴを作成し、一方、明度の値が予め定められた低明度領域に含まれる場合に、色信号比率に基づき多次元ＬＵＴを作成するようにすることができる。この境界は、例えば、表示装置１２で、白色の画像を表示させたときの明度を１００としたときに、５０の明度とすることができる。またこの境界は、表示装置１２のデバイス特性により変更してもよい。
また図１２で示したＲ、Ｇ、Ｂの色信号の色信号比率をこの境界におけるそれぞれの比率としてもよい。この場合、境界における彩度ｃ＊や色相角ｈの連続性が確保しやすくなる。
【００９７】
また目標値設定部２１８により設定された第２の目標値を反映させ多次元ＬＵＴを作成した後に、上記色信号比率を使用してさらに多次元ＬＵＴの修正を行なう方法も考えられる。
例えば、多次元ＬＵＴを使用して色変換を行なった際に、グレー画像について明度に従い彩度ｃ＊や色相角ｈが比較的大きく変化する領域を抽出する。そしてこの領域についてこの色信号比率を使用してさらに多次元ＬＵＴの修正を行なう。
【００９８】
なお本実施の形態における設定用ＰＣ２１の動作については、第２の実施の形態の図１３と同様となる。また色値が変換される過程を概念的に示した図としては、第２の実施の形態の図１４と同様となる。異なる点としては、第２の実施の形態の多次元ＬＵＴは、第１の目標値および比率（色信号比率）に基づき作成されたものとなるが、第３の実施の形態の多次元ＬＵＴは、これに第２の目標値を加え、第１の目標値、第２の目標値、および比率（色信号比率）に基づき作成されたものとなる。
【００９９】
図１６（ａ）〜（ｂ）は、表示装置１２に表示する画像データがグレー画像を含むものであったときに、上述したように高明度領域にて第２の目標値とともに低明度領域にて色信号比率を用いて多次元ＬＵＴを作成した場合と、第２の目標値も色信号比率も使用せず多次元ＬＵＴを作成した場合とで比較を行なった図である。
図１６（ａ）は、明度と彩度との関係を示している。ここで横軸は、彩度ｃ＊を表し、縦軸は、明度Ｌ＊を表す。また図１６（ｂ）は、明度と色相角との関係を示している。ここで横軸は、色相角ｈを表し、縦軸は、明度Ｌ＊を表す。
またこの場合、上述したように明度Ｌ＊＝５０を境界とし、高明度領域では、第２の目標値を反映させ多次元ＬＵＴを作成し、低明度領域では、色信号比率に基づき多次元ＬＵＴを作成している。
【０１００】
図示するように第２の目標値および色信号比率を使用した場合の方が、第２の目標値も色信号比率も使用しなかった場合よりも、明度の異なるグレー画像群どうしの色相角ｈのばらつきが小さくなるとともに、明度の変化にしたがって生ずる彩度や色相角の変化がなだらかとなり、彩度や色相の連続性が向上する。
【０１０１】
以上詳述した色処理装置１３と設定用ＰＣ２１は、表示装置１２にて画像を表示するために作成された画像データを、予め定められた色変換テーブルを用いて色変換処理を行い表示装置１２に出力する色変換手段としての色処理装置１３と、色処理装置１３で用いられる色変換テーブルを作成する変換関係作成手段としての設定用ＰＣ２１と、を備える色調整システムとして捉えることもできる。
【０１０２】
なお、本実施の形態の画像表示システム１０では、表示用ＰＣ１１と表示装置１２との間に、これら表示用ＰＣ１１と表示装置１２とは別体にて色処理装置１３を配置するようにしていたが、これに限られるものではない。例えば、色処理装置１３の機能を、表示用ＰＣ１１に内蔵させてもかまわないし、表示装置１２に内蔵させてもかまわない。
【０１０３】
また本実施の形態では、設定用ＰＣ２１は、表示用ＰＣ１１とは別体となっていたが、表示用ＰＣ１１に設定用ＰＣ２１の機能を備えることも可能である。この場合、表示用ＰＣ１１が、変換関係作成手段（画像処理装置）として機能する。
【０１０４】
＜プログラムの説明＞
ここで以上説明を行った本実施の形態における設定用ＰＣ２１が行なう処理は、上述した通り、例えば、アプリケーションソフトウェア等のプログラムとして用意される。
【０１０５】
よって第１の実施の形態〜第３の実施の形態で、設定用ＰＣ２１が行なう処理は、コンピュータに、グレー画像を表示装置１２に表示する場合に、グレー画像に対し、グレー画像を構成する複数の基本色からなる色信号の色信号比率が、グレー画像の明度によらず１：１：１以外であって且つ同一の値となるように色変換を行う機能を実現させるプログラムとして捉えることもできる。
【０１０６】
また第１の実施の形態〜第３の実施の形態で、設定用ＰＣ２１が行なう処理は、コンピュータに、表示装置１２で画像を表示するときに使用される複数の基本色の色信号比率であって１：１：１以外の色信号比率を設定する設定機能と、表示装置１２に表示させる画像に色変換を行うときに用いる変換関係を作成する作成機能と、を実現させ、作成機能は、色信号比率が１：１：１である画像に色変換を行った場合に、色信号比率が設定機能で設定した値に変換されるような変換関係を作成することを特徴とするプログラムとして捉えることもできる。
【０１０７】
なお、本実施の形態を実現するプログラムは、通信手段により提供することはもちろん、ＣＤ−ＲＯＭ等の記録媒体に格納して提供することも可能である。
【０１０８】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【０１０９】
１０…画像表示システム、１１…表示用ＰＣ、１２…表示装置、１３…色処理装置、２０…色設定システム、２１…設定用ＰＣ、２１１…画像選択部、２１２…画像データ記憶部、２１３…画像データ送信部、２１４…色データ取得部、２１５…第１の色変換部、２１６…色域作成部、２１７…第２の色変換部、２１８…目標値設定部、２１９…比率設定部、２２０…マッピング部、２２１…色変換テーブル作成部、Ｎ…ネットワーク
【図１】
2015122662.tif 000003
【図２】
2015122662.tif 000004
【図３】
2015122662.tif 000005
【図４】
2015122662.tif 000006
【図５】
2015122662.tif 000007
【図６】
2015122662.tif 000008
【図７】
2015122662.tif 000009
【図８】
2015122662.tif 000010
【図９】
2015122662.tif 000011
【図１０】
2015122662.tif 000012
【図１１】
2015122662.tif 000013
【図１２】
2015122662.tif 000014
【図１３】
2015122662.tif 000015
【図１４】
2015122662.tif 000016
【図１５】
2015122662.tif 000017
【図１６】
2015122662.tif 000018
【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
入力画像データに変換関係を用いて色変換を行い、得られた出力画像データを表示装置に出力する色変換装置であって、
前記変換関係は、前記入力画像データがグレー画像のときには、前記表示装置の表示特性に基づく第１の目標値を用いず当該入力画像データの色信号比率を１：１：１以外の値になる色変換を行い、当該入力画像データがグレー画像以外のときには、当該第１の目標値を用いて作成されたものである色変換装置。
【請求項２】
前記変換関係は、前記グレー画像についての入力画像データの色信号比率を当該グレー画像の明度によらず１：１：１以外の同一の値になる色変換を行うよう作成されたものであることを特徴とする請求項１に記載の色変換装置。
【請求項３】
前記色信号比率は、前記表示装置に表示される画像の色味が赤色、緑色、および青色の何れかになるように設定されることを特徴とする請求項１または２に記載の色変換装置。
【請求項４】
前記変換関係は、前記入力画像データに含まれる明度の値が予め定められた低明度領域であるときに適用されることを特徴とする請求項１乃至３の何れか１項に記載の色変換装置。
【請求項５】
コンピュータに、入力画像データに変換関係を用いて色処理を行い、得られた出力画像データを表示装置に出力する機能を実現させ、
前記変換関係は、前記入力画像データがグレー画像のときには、前記表示装置の表示特性に基づく第１の目標値を用いず当該入力画像データの色信号比率を１：１：１以外の値になる色変換を行い、当該入力画像データがグレー画像以外のときには、当該第１の目標値を用いて作成されたものであるプログラム。
【手続補正３】
【補正対象書類名】明細書
【補正対象項目名】０００５
【補正方法】変更
【補正の内容】
【０００５】
請求項１に記載の発明は、入力画像データに変換関係を用いて色変換を行い、得られた出力画像データを表示装置に出力する色変換装置であって、前記変換関係は、前記入力画像データがグレー画像のときには、前記表示装置の表示特性に基づく第１の目標値を用いず当該入力画像データの色信号比率を１：１：１以外の値になる色変換を行い、当該入力画像データがグレー画像以外のときには、当該第１の目標値を用いて作成されたものである色変換装置である。
請求項２に記載の発明は、前記変換関係は、前記グレー画像についての入力画像データの色信号比率を当該グレー画像の明度によらず１：１：１以外の同一の値になる色変換を行うよう作成されたものであることを特徴とする請求項１に記載の色変換装置である。
請求項３に記載の発明は、前記色信号比率は、前記表示装置に表示される画像の色味が赤色、緑色、および青色の何れかになるように設定されることを特徴とする請求項１または２に記載の色変換装置である。
請求項４に記載の発明は、前記変換関係は、前記入力画像データに含まれる明度の値が予め定められた低明度領域であるときに適用されることを特徴とする請求項１乃至３の何れか１項に記載の色変換装置である。
請求項５に記載の発明は、コンピュータに、入力画像データに変換関係を用いて色処理を行い、得られた出力画像データを表示装置に出力する機能を実現させ、前記変換関係は、前記入力画像データがグレー画像のときには、前記表示装置の表示特性に基づく第１の目標値を用いず当該入力画像データの色信号比率を１：１：１以外の値になる色変換を行い、当該入力画像データがグレー画像以外のときには、当該第１の目標値を用いて作成されたものであるプログラムである。
【手続補正４】
【補正対象書類名】明細書
【補正対象項目名】０００６
【補正方法】変更
【補正の内容】
【０００６】
請求項１、２、５の発明によれば、表示装置に明度の異なるグレー画像群を表示したときに、表示されるグレー画像群の色相角のばらつきを小さくして色味を統一させて見せることができる。
請求項３の発明によれば、請求項１記載の効果に加え、比率を設定するのが容易になる。
【手続補正書】
【提出日】平成26年10月15日(2014.10.15)
【手続補正１】
【補正対象書類名】特許請求の範囲
【補正対象項目名】全文
【補正方法】変更
【補正の内容】
【特許請求の範囲】
【請求項１】
カラーの入力画像データに変換関係を用いて色変換を行い、得られたカラーの出力画像データを表示装置に出力する色変換装置であって、
前記変換関係は、前記入力画像データがグレー画像のときには、前記表示装置の表示特性に基づく第１の目標値を用いるとともに当該入力画像データの色信号比率を１：１：１以外の値になる色変換を行い、当該入力画像データがグレー画像以外のときには、当該第１の目標値を用いて作成されたものである色変換装置。
【請求項２】
前記変換関係は、前記グレー画像についての入力画像データの色信号比率を当該グレー画像の明度によらず１：１：１以外の同一の値になる色変換を行うよう作成されたものであることを特徴とする請求項１に記載の色変換装置。
【請求項３】
前記色信号比率は、前記表示装置に表示される画像の色味が赤色、緑色、および青色の何れかになるように設定されることを特徴とする請求項１または２に記載の色変換装置。
【請求項４】
前記変換関係は、前記入力画像データに含まれる明度の値が予め定められた低明度領域であるときに適用されることを特徴とする請求項１乃至３の何れか１項に記載の色変換装置。
【請求項５】
コンピュータに、カラーの入力画像データに変換関係を用いて色処理を行い、得られたカラーの出力画像データを表示装置に出力する機能を実現させ、
前記変換関係は、前記入力画像データがグレー画像のときには、前記表示装置の表示特性に基づく第１の目標値を用いるとともに当該入力画像データの色信号比率を１：１：１以外の値になる色変換を行い、当該入力画像データがグレー画像以外のときには、当該第１の目標値を用いて作成されたものであるプログラム。
【手続補正２】
【補正対象書類名】明細書
【補正対象項目名】０００５
【補正方法】変更
【補正の内容】
【０００５】
請求項１に記載の発明は、カラーの入力画像データに変換関係を用いて色変換を行い、得られたカラーの出力画像データを表示装置に出力する色変換装置であって、前記変換関係は、前記入力画像データがグレー画像のときには、前記表示装置の表示特性に基づく第１の目標値を用いるとともに当該入力画像データの色信号比率を１：１：１以外の値になる色変換を行い、当該入力画像データがグレー画像以外のときには、当該第１の目標値を用いて作成されたものである色変換装置である。
請求項２に記載の発明は、前記変換関係は、前記グレー画像についての入力画像データの色信号比率を当該グレー画像の明度によらず１：１：１以外の同一の値になる色変換を行うよう作成されたものであることを特徴とする請求項１に記載の色変換装置である。
請求項３に記載の発明は、前記色信号比率は、前記表示装置に表示される画像の色味が赤色、緑色、および青色の何れかになるように設定されることを特徴とする請求項１または２に記載の色変換装置である。
請求項４に記載の発明は、前記変換関係は、前記入力画像データに含まれる明度の値が予め定められた低明度領域であるときに適用されることを特徴とする請求項１乃至３の何れか１項に記載の色変換装置である。
請求項５に記載の発明は、コンピュータに、カラーの入力画像データに変換関係を用いて色処理を行い、得られたカラーの出力画像データを表示装置に出力する機能を実現させ、前記変換関係は、前記入力画像データがグレー画像のときには、前記表示装置の表示特性に基づく第１の目標値を用いるとともに当該入力画像データの色信号比率を１：１：１以外の値になる色変換を行い、当該入力画像データがグレー画像以外のときには、当該第１の目標値を用いて作成されたものであるプログラムである。